(57)【要約】【課題】使用感および安全性を高めるランニングマシンを提供する。【解決手段】走行ベルト５は、基台２の回転軸３、４に回転可能に支持され、駆動手段７に駆動される。使用者の進行方向前側で基台２に側支柱９及び横支柱１２が設けられる。使用者の左右方向に傾斜可能、かつ、所定角度で固定可能に横支柱１２にホルダ１３が設けられる。ホルダ１３に対し前後及び上下に移動可能に設けられたスライダ２０は、ホルダ１３とは反対側の端部に使用者が握ることの可能な取っ手２１を有する。使用者は腕を振りやすい傾斜角度でホルダ１３を固定した後、スライダ２０の取っ手２１を握ったまま腕を振って走行運動または歩行運動を行うことができる。【選択図】図１
2011131088.tif 000002
【特許請求の範囲】
【請求項１】
環状の走行ベルトと、
走行ベルトを回転可能に支持する基台と、
走行ベルトを回転駆動する駆動手段と、
使用者の進行方向前側で基台に設けられた支柱と、
使用者の左右方向に傾斜可能、かつ、その傾斜角を所定の角度で固定可能に支柱に設けられたホルダと、
ホルダに対し前後及び上下に移動可能に設けられ、ホルダとは反対側の端部に使用者が握ることの可能な取っ手を有するスライダを備えたランニングマシン。
【請求項２】
さらに、取っ手の下側で使用者の手が当接可能な位置に設けられたスイッチと、
スイッチが押圧されたとき、ホルダに対するスライダの前後及び上下移動を規制する規制手段を備えた請求項１に記載のランニングマシン。
【請求項３】
走行ベルトは、基台の上側に突出する複数の突起を有する請求項１または２に記載のランニングマシン。
【請求項４】
複数の突起は、基台の左右のサイドフレームに近い方に位置する突起が、基台の中央部に位置する突起よりも高い請求項３に記載のランニングマシン。
【請求項５】
突起は、弾性体から形成される請求項３または４に記載のランニングマシン。
【請求項６】
基台の左右のサイドフレームで前後方向に延び、駆動手段の駆動を停止可能な停止スイッチを備える請求項１〜５のいずれか一項に記載のランニングマシン。
【発明の詳細な説明】
【技術分野】
【０００１】
本発明はランニングマシンに関する。
【背景技術】
【０００２】
従来より、走行運動または歩行運動などの有酸素運動に用いられるランニングマシンが知られている。
特許文献１に記載のランニングマシンは、使用者の横に柵が設けられ、安全性が図られている。
【先行技術文献】
【特許文献】
【０００３】
【特許文献１】特開２００６−１５８８３０号公報
【発明の開示】
【発明が解決しようとする課題】
【０００４】
しかしながら、特許文献１のランニングマシンは、使用者が横にふらついたとき、必ずしもその柵に手をかけられるとは限らない。また、柵を持ったまま走行を続けることは困難である。
本発明は、安全性及び使用感を高めたランニングマシンを提供することを課題とする。
【課題を解決するための手段】
【０００５】
請求項１に係る発明では、ランニングマシンは、走行ベルト、基台、駆動手段、支柱、ホルダ及びスライダを備える。
基台は、環状の走行ベルトを回転可能に支持する。走行ベルトは、駆動手段に回転駆動される。使用者の進行方向前側で基台に支柱が設けられる。使用者の左右方向に傾斜可能、かつ、所定角度で固定可能に支柱にホルダが設けられる。そのホルダに対し前後及び上下に移動可能に設けられたスライダは、ホルダとは反対側の端部に使用者が握ることの可能な取っ手を有する。
この構成により、使用者が腕を振りやすい傾斜角度でホルダを固定した後、スライダの取っ手を握ったまま腕を振って走行運動または歩行運動を行うことができる。スライダは、左右方向の動きが制限されているので、使用者は取っ手に対し横方向に体重をかけることができる。このため、使用者は、足元が横にふらつくことを抑えることができる。よって、ランニングマシンの安全性及び使用感が向上する。
【０００６】
請求項２に係る発明では、ランニングマシンは、スイッチ及び規制手段を備える。スイッチは、取っ手の下側で使用者の手が当接可能な位置に設けられる。スイッチが押圧されたとき、規制手段は、ホルダに対するスライダの前後及び上下移動を規制する。
使用者が取っ手を握ったままその手を取っ手の下方へ移動し、スイッチを押圧すると、規制手段がスライダの前後及び上下移動を規制する。このため、使用者は取っ手に対し下向きに体重をかけ、足元のふらつきを抑えることができる。
【０００７】
請求項３に係る発明では、走行ベルトは、基台の上側に突出する複数の突起を有する。
使用者は、突起によって足元に神経が集中する。このため、足元のふらつきが抑えられる。
【０００８】
請求項４に係る発明では、複数の突起は、基台の左右のサイドフレームに近い方に位置する突起が、基台の中央部に位置する突起よりも高い。
使用者は、基台の左右のサイドフレームに近づいたとき、それを突起の高さが高いことで気づく。したがって、安全性が向上する。
【０００９】
請求項５に係る発明では、突起は、弾性体から形成される。これにより、ランニングマシンの使用感及び安全性が向上する。
【００１０】
請求項６に係る発明では、ランニングマシンは、基台の左右のサイドフレームで前後方向に延び、駆動手段の駆動を停止可能な停止スイッチを備える。
使用者が左又は右にふらついたとき、停止スイッチを足などで踏むことで走行ベルトの回転を止めることができる。これにより、ランニングマシンの安全性が向上する。
【図面の簡単な説明】
【００１１】
【図１】本発明の一実施形態のランニングマシンの断面図である。
【図２】図１のＩＩ方向の平面図である。
【図３】図２のＩＩＩ−ＩＩＩ方向の断面図である。
【図４】図４のＩＶ部分の要部拡大図である。
【図５】図４のＶ−Ｖ方向の断面図である。
【図６】図５のＶＩ−ＶＩ方向の断面図である。
【発明を実施するための形態】
【００１２】
本発明の一実施形態としてのランニングマシン１を図面に基づいて説明する。
図１に示すように、基台２は、ランニングマシン１を使用する使用者の前方と後方にそれぞれ回転軸３、４を備えている。走行ベルト５は、環状に形成され、その２つの回転軸３、４に取り付けられている。これにより、走行ベルト５は基台２に回転可能に支持される。走行ベルト５の下には、基台２の左右のサイドフレーム２ａに接続され、使用者の体重を支持可能な踏み台６が設けられている。駆動手段７は、モーター等から構成され、前方の回転軸３を回転する。これにより、走行ベルト５が回転する。
基台２の左右のサイドフレーム２ａには、前後方向に延びる停止スイッチ３０が設けられている。停止スイッチ３０を押圧すると、駆動手段７が停止し、走行ベルト５の回転が止まる。
【００１３】
図２〜図４に示すように、走行ベルト５は、基台２の上側に突出する複数の突起８を有する。突起８は、走行ベルト５と一体に弾性体から形成される。複数の突起８は、基台２の中央部に位置し、使用者が通常走行する箇所の突起８ａが最も低い。その中央部よりも外側の突起８ｂは、中央部の突起８ａよりも少し高い。基台２の左右のサイドフレーム２ａに最も近い突起８ｃは最も高い。
突起８の上端は、図３及び図４のように平坦でもよいし、或いは上方に凸状の半球状に形成してもよい。
【００１４】
図１及び図３に示すように、基台２の前方左右から上方に２本の側支柱９、１０が延びている。この２本の側支柱９、１０の上側に操作パネル１１が取り付けられている。
左右の側支柱９、１０を横支柱１２が接続する。その横支柱１２に、２個のホルダ１３が設けられている。ホルダ１３は、蝶番１４によって、横支柱１２に対し左右方向に傾斜可能に取り付けられている。また、ホルダ１３の側面と横支柱１２とを伸縮パイプ１５が接続している。伸縮パイプ１５は、大径パイプ１５ａと、この大径パイプ１５ａの内側に差し込まれた小径パイプ１５ｂから構成されている。大径パイプ１５ａに差し込まれる小径パイプ１５の長さを変えることで、伸縮パイプ１５は軸方向に伸縮する。伸縮パイプ１５は、大径パイプ１５ａの横支柱１２側の端部が蝶番１６によって横支柱１２に接続され、小径パイプ１５ｂのホルダ１３側の端部が蝶番１７によってホルダ１３の側面に接続されている。大径パイプ１５ａと小径パイプ１５ｂには径方向に通じる複数の孔が設けられ、この孔にストッパピン１８が差し込まれる。これにより、ホルダ１３は、ストッパピン１８によってその傾斜角が所定角度で固定される。
【００１５】
図５及び図６に示すように、ホルダ１３の内側の左右には、ボールベアリング１９が設けられている。この左右のボールベアリング１９の間にスライダ２０が設けられている。スライダ２０のホルダ１３とは反対側の端部に取っ手２１が設けられる、取っ手２１は、使用者が握ることの可能な大きさである。スライダ２０は、使用者の腕を振る動作に合わせて前後及び上下に移動可能である。
取っ手２１は、スライダ２０に対して傾斜角を変え、所定位置で固定することが可能である（図３参照）。
取っ手２１の下側にスイッチ２２が設けられている。スイッチ２２は、使用者が取っ手２１を握ったままその手を取っ手２１の下側へ移動することで、押圧されることが可能な位置に設けられている。
規制手段２３は、コイル２４、固定子２５、可動子２６、スプリング２７及び弾性体２８，２９などから構成される。ランニングマシン１の電源がＯＮされると、コイル２４に通電され、スプリング２７の弾性力に抗して、可動子２６が固定子２５側へ磁気吸引される。一方、スイッチ２２が押圧されると、コイル２４への通電がＯＦＦされ、可動子２６はスプリング２７の弾性力によりスライダ２０側に移動する。可動子２６のスライダ２０側に取り付けられた弾性体２８と、ホルダ１３の可動子２６とは反対側に取り付けられた弾性体２９とにスライダ２０が押圧される。これにより、ホルダ１３に対するスライダ２０の前後及び上下の移動が規制される。
【００１６】
本実施形態では、使用者は、走行ベルト５の突起８ａによって、足元に神経が集中する。また、使用者は、基台２の左右のサイドフレーム２ａに近づいたとき、突起８ｂ、８ｃの高さが高いことで危険を察知できる。
さらに、使用者は、取っ手２１を握ったまま走行することが可能であり、スライダ２０に体重をあずけることで、足元のふらつきを抑えることができる。
【符号の説明】
【００１７】
１：ランニングマシン、２：基台、２ａ：サイドフレーム、３、４：回転軸、５：走行ベルト、６：踏み台、７：駆動手段、８ａ〜８ｃ：突起、８ｄ：突起の上面、９、１０：側支柱（支柱）、１１：操作パネル、１２：横支柱（支柱）、１３：ホルダ、１４：蝶番、１５：伸縮パイプ、１５ａ：大径パイプ、１５ｂ：小径パイプ、１６、１７：蝶番、１８：ストッパピン、１９：ボールベアリング、２０：スライダ、２１：取っ手、２２：スイッチ、２３：規制手段、２４：コイル、２５：固定子、２６：可動子、２７：スプリング、２８、２９：弾性体、３０：停止スイッチ
【図１】
2011131088.tif 000003
【図２】
2011131088.tif 000004
【図３】
2011131088.tif 000005
【図４】
2011131088.tif 000006
【図５】
2011131088.tif 000007
【図６】
2011131088.tif 000008